(57)【要約】【課題】マグネトロンの外部からの給電線は、フィルター回路の一部であるチョークコイルを成形しているのが一般的であり、陰極側端子と外部からの給電線は、通常溶接にて接続しているが、接続部において、チョークコイルの一部である外部からの給電線の長さのバラツキにより、フィルター回路にバラツキが生じ、ノイズの抑制効果にバラツキが生じることがあった。また、溶接代にも同様のバラツキが生じ安定した溶接が困難であった。【解決手段】マグネトロンの陰極側端子に接続され、外部からの給電を兼ねたチョークコイル２の先端に曲げ部２ｂを設け、その曲げ部２ｂを陰極側端子３の接続部に当接させて接続することにより、長さのバラツキを小さくすることが可能となる。【選択図】図３
2014075262.tif 000002
【特許請求の範囲】
【請求項１】
マグネトロンの陰極側端子に接続され外部からの給電を兼ねたチョークコイルのチョークコイル先端に曲げ部を有したマグネトロン。
【請求項２】
前記チョークコイルの曲げ部を前記陰極側端子に当接させた請求項１に記載のマグネトロン。
【発明の詳細な説明】
【技術分野】
【０００１】
本発明はマグネトロン用フィルター回路に係り、チョークコイルを精度良く組み立てられることにより、ノイズ抑制効果の安定化、陰極側端子との接続の安定化が図れ、品質及び信頼性を高めたマグネトロンに関する。
【背景技術】
【０００２】
マグネトロンは、２極真空管の一種で、マイクロ波を発生させるための電子管として、マイクロ波通信装置や家庭電化製品に広く利用されており、例えば、マイクロ波を食品に照射して、誘電加熱方式によって食品を加熱調理する電子レンジの主要部品として広く利用されている。
【０００３】
従来、この種のマグネトロンのフィルター回路は、例えば、図５に示す構造を有している。図５は、従来のマグネトロン用フィルター回路の構成例を示す平面図である。
【０００４】
図５において、フィルター回路は、外部からの給電用端子一対を備えた貫通型コンデンサ１１と、前記給電用端子一対に電気的に接続されたチョークコイル１２とを備えてＬＣフィルター回路を構成している。
【０００５】
また、チョークコイル１２をマグネトロンの陰極部に繋がった陰極側端子１３に電気的に接続する。その詳細な接続は、例えば、図６に示すように陰極側端子１３の陰極側端子先端１３ａをＵ字もしくは略Ｏ字に成形したところへ、チョークコイル１２の端部を挿入し、チョークコイル先端部１２ａをＴｉｇ溶接等により溶融させ、陰極側端子１３とチョークコイル１２とを電気的に接続させる構造をしている。チョークコイル１２の陰極側端子１３付近ではストレート形状になっている。
【先行技術文献】
【特許文献】
【０００６】
【特許文献１】特開平１−１８７７３８号公報
【発明の概要】
【発明が解決しようとする課題】
【０００７】
しかしながら、上記に示すようにチョークコイル１２の陰極側端子１３付近がストレートになっている場合には、チョークコイル１２と陰極側端子１３との相互の位置関係が定まらないという課題があった。
【０００８】
本発明は、上記課題を解決するために、位置決め用の形状を設けることにより相互の位置関係を安定させるとともに、チョークコイルの長さやチョークコイル先端部の長さの安定化を図ることにより、品質及び信頼性を高めたマグネトロンを提供することを目的とする。
【課題を解決するための手段】
【０００９】
上記従来の課題を解決するために、本発明のマグネトロンは、マグネトロンの陰極側端子に接続され、外部からの給電を兼ねたチョークコイルのチョークコイル先端に曲げ部を有したものである。
【００１０】
これによって、チョークコイルは、陰極側端子の陰極側端子先端をＵ字もしくは略Ｏ字に成形したところへ挿入することにより、チョークコイルの曲げ部は、陰極側先端のＵ字
もしくは略○字の成形されたところで位置決めができ、精度良く組み立てることが可能になり、相互の位置関係を安定させるとともに、チョークコイルの長さやチョークコイル先端部の長さの安定化が図れ、フィルターの回路特性も安定化することができる。
【００１１】
また、チョークコイルに曲げ部を設け、この曲げ部を陰極側端子へ当接させてチョークコイルのチョークコイル先端部をＴｉｇ溶接により接続する構造としたものである。
【００１２】
これによって、溶接しろ寸法のバラツキも小さくすることができるので、溶接の品質安定化を可能にすることができる。
【００１３】
チョークコイルの曲げ部の形状は、クランク状やＬ字状が好ましいが、陰極側端子の陰極側端子先端をＵ字もしくは略Ｏ字に成形した内寸より大きくする構造としてもよい。
【発明の効果】
【００１４】
本発明に係るマグネトロンのチョークコイル形状によれば、設計通りのＬＣフィルター回路特性が確保できるよう構成されているため、品質バラツキの少ないマグネトロンを実現することができる。また、溶接しろ寸法のバラツキも小さくすることができ、溶接の品質安定化が可能になる。
【図面の簡単な説明】
【００１５】
【図１】本発明の実施の形態１におけるマグネトロンのチョークコイルと陰極側端子の接続構造を示す斜視図
【図２】本発明の実施の形態２におけるマグネトロンのチョークコイルと陰極側端子の接続構造を示す斜視図
【図３】本発明の実施の形態３におけるマグネトロンのチョークコイルと陰極側端子の接続構造を示す斜視図
【図４】本発明の実施の形態４におけるマグネトロンのチョークコイルと陰極側端子の接続構造を示す斜視図
【図５】従来のマグネトロン用フィルター回路の構成例を示す平面図
【図６】従来のマグネトロンのチョークコイルと陰極側端子の接続構造を示す斜視図
【発明を実施するための形態】
【００１６】
第１の発明は、マグネトロンの陰極側端子に接続され外部からの給電を兼ねたチョークコイルのチョークコイル先端に曲げ部を有したものである。
【００１７】
これによって、チョークコイルは、陰極側端子の陰極側端子先端をＵ字もしくは略Ｏ字に成形したところへ挿入することにより、チョークコイルの曲げ部は、陰極側先端のＵ字もしくは略○字の成形されたところで位置決めができ、精度良く組み立てることが可能になり、相互の位置関係を安定させるとともに、チョークコイルの長さやチョークコイル先端部の長さの安定化が図れ、フィルターの回路特性も安定して、設計通りのＬＣフィルター回路特性が確保でき、品質バラツキの少ないマグネトロンを実現することができる。
【００１８】
第２の発明は、特に、第１の発明の前記チョークコイルの曲げ部を陰極側端子へ当接させたものである。
【００１９】
これによって、チョークコイルのチョークコイル先端部をＴｉｇ溶接により接続する構造とすることができる。
【００２０】
また、チョークコイルの曲げ部の形状は、クランク状やＬ字状が好ましいが、陰極側端子の陰極側端子先端をＵ字もしくは略Ｏ字に成形した内寸より大きくする構造とすること
も可能となる。
【００２１】
以下、本発明の実施の形態１について図面を参照しながら説明する、なお、この実施の形態によって本発明が限定されるものではない。
【００２２】
（実施の形態１）
図１は本発明の第１の実施の形態におけるマグネトロンのチョークコイルと陰極側端子の接続構造を示す斜視図である。
【００２３】
図１において、チョークコイル２にクランク状の曲げ部２ｂを設け、チョークコイル２の先端を陰極側端子３の陰極側端子先端３ａに挿入し、クランク状の曲げ部２ｂを陰極側端子３の陰極側端子先端３ａに当接させる構造とする。
【００２４】
以上のように構成されたマグネトロンのチョークコイルと陰極側端子の接続構造について、以下その作用を説明する。
【００２５】
マグネトロンの陰極側端子３の陰極側端子先端３ａに挿入接続されたチョークコイル２の位置決め用としてのクランク状の曲げ部２ｂは、陰極側端子先端３ａの成形されたＵ字に当接されるので、精度良く組み立てることができ、相互の位置関係を安定させるとともに、チョークコイル２の長さや、チョークコイル先端部の長さｄの安定化が可能となるので、フィルターの回路特性のバラツキを小さくすることができ、マグネトロンの品質及び信頼性を高めることができる。
【００２６】
（実施の形態２）
図２は本発明の第２の実施の形態におけるマグネトロンのチョークコイルと陰極側端子の接続構造を示す斜視図である。
【００２７】
図２において、チョークコイル２にクランク状の曲げ部２ｂを設け、チョークコイル２のチョークコイル先端部２ａを略円筒形状の陰極側端子４のＵ字に成形された陰極側端子先端４ａに挿入する構造である。
【００２８】
これによって、陰極側端子４とチョークコイル２の相互の位置関係を安定にすることができるとともに、陰極側端子先端４ａのＵ字の成形も容易におこなえる。
【００２９】
（実施の形態３）
図３は本発明の第３の実施の形態におけるマグネトロンのチョークコイルと陰極側端子の接続構造を示す斜視図である。
【００３０】
図３において、チョークコイル２にクランク状の曲げ部２ｂを設け、チョークコイル２のチョークコイル先端部２ａを略円筒形状の陰極側端子５の○字に成形された陰極側端子先端５ａに挿入する構造である。
【００３１】
これによって、陰極側端子５とチョークコイル２の相互の位置関係を安定にすることができる。
【００３２】
（実施の形態４）
図４は本発明の第４の実施の形態におけるマグネトロンのチョークコイルと陰極側端子の接続構造を示す斜視図である。
【００３３】
図４において、チョークコイル７にＬ字状の曲げ部７ｂを設け、チョークコイル７のチ
ョークコイル先端部７ａを略円筒形状の陰極側端子６のＵ字に成形された陰極側端子先端６ａに挿入する構造である。
【００３４】
これによって、陰極側端子６とチョークコイル７の相互の位置関係を安定にすることができる。
【産業上の利用可能性】
【００３５】
以上のように、本発明にかかるマグネトロンは、フィルターの回路特性のバラツキを小さくすることができ、マグネトロンの品質及び信頼性を高めることができるので、電子レンジなどに使用するマグネトロンへの適用が有効である。
【符号の説明】
【００３６】
２、７、１２  チョークコイル
２ａ、７ａ、１２ａ  チョークコイル先端部
２ｂ、７ｂ  曲げ部
３、４、５、６、１３  陰極側端子
３ａ、４ａ、５ａ、６ａ、１３ａ  陰極側端子先端
【図１】
2014075262.tif 000003
【図２】
2014075262.tif 000004
【図３】
2014075262.tif 000005
【図４】
2014075262.tif 000006
【図５】
2014075262.tif 000007
【図６】
2014075262.tif 000008